【事件の表示】
　特許第２８４４４８３号「バチンコ機」の特許に対する特許異議の申立てについて、次のとおり決定する。
【結　論】
　訂正を認める。
　特許第２８４４４８３号の特許を維持する。
【理　由】
（１）手続きの経緯
　本件特許第２８４４４８３号発明（平成１年１２月２７日出願）は、平成１０年１０月３０日にその特許の設定登録がなされ、その後、岩井浩之より特許異議の申立てがなされ、取消理由通知がなされ、その指定期間である平成１２年２月７日に訂正請求がなされたものである。
（２）訂正の適否についての判断
１．訂正の内容
（訂正事項ａ）
　特許請求の範囲の記載を、
「着脱自在に設けられる遊技盤と、該遊技盤の背面側に配設されると共に球流下経路が形成された裏機構盤とを有し、前記遊技盤には特定入賞口と電気的遊技装置とを設け、該特定入賞口への入賞に基づいて電気的遊技装置を作動させて補助遊技状態を発生させ、該補助遊技状態の遊技結果に基づいて特別遊技状態に移行するような遊技制御を行う電気的制御装置を備えるパチンコ機において、前記電気的制御装置は、定電圧を発生する第一制御基板と、前記定電圧が供給され遊技制御を実行する第二制御基板とが分割して構成され、前記第二制御基板は、少なくとも前記補助遊技状態あるいは前記特別遊技状態に関する遊技状態情報を、パチンコ機の稼働状態を管理する集中管理装置が受信可能な遊技状態情報信号として出力可能な遊技状態出力手段を具備し、前記電気的制御装置の遊技状態出力手段は、遊技状態情報信号の信号線をコネクタにより接続可能とする遊技状態情報信号接続手段に連絡するように構成し、前記電気的制御装置の前記第一制御基板を裏機構盤側に設け、前記第二制御基板を前記遊技盤裏面側の所定部位に設けるとともに、遊技状態情報信号接続手段を遊技盤裏面側であって、前記裏機構盤の球流下経路と重合しない部分に設けたことを特徴とするパチンコ機。」と訂正する。
（訂正事項ｂ）
　平成８年１２月２５日に補正をした補正後の明細書の第４頁第１３行〜第５頁第１４行（当初明細書の第４頁第２行から第５頁第１行に相当）の、
「（課題を解決するための手段）
　本発明は上記に鑑み提案されたものであり、・・・、前記裏機構盤の球流下経路と重合しない部分に設けた。」を、
「（課題を解決するための手段〉
　本発明は上記に鑑み提案されたものであり、着脱自在に設けられる遊技盤と、該遊技盤の背面側に配設されると共に球流下経路が形成された裏機構盤とを有し、前記遊技盤には特定入賞口と電気的遊技装置とを設け、該特定入賞口への入賞に基づいて電気的遊技装置を作動させて補助遊技状態を発生させ、該補助遊技状態の遊技結果に基づいて特別遊技状態に移行するような遊技制御を行う電気的制御装置を備えるパチンコ機において、前記電気的制御装置は、定電圧を発生する第一制御基板と、前記定電圧が供給され遊技制御を実行する第二制御基板とが分割して構成され、前記第二制御基板は、少なくとも前記補助遊技状態あるいは前記特別遊技状態に関する遊技状態情報を、パチンコ機の稼働状態を管理する集中管理装置が受信可能な遊技状態情報信号として出力可能な遊技状態出力手段を具備し、前記電気的制御装置の遊技状態出力手段は、遊技状態情報信号の信号線をコネクタにより接続可能とする遊技状態情報信号接続手段に連絡するように構成し、前記電気的制御装置の前記第一制御基板を裏機構盤側に設け、前記第二制御基板を前記遊技盤裏面側の所定部位に設けるとともに、遊技状態情報信号接続手段を遊技盤裏面側であって、前記裏機構盤の球流下経路と重合しない部分に設けた。」と訂正する。
（訂正事項ｃ）
　平成８年１２月２５日に補正をした補正後の明細書の第５頁第１５行〜第６頁第１０行（当初明細書の第５頁第２行から第５頁第１５行に相当）の、
「〈作用〉
　電気的制御装置に遊技状態情報信号を出力する遊技状態情報出力手段を設けるとともに、・・・、信号線等の接続作業で誤配線が生ずることを防げる。」を、
「〈作用〉
　電気的制御装置に遊技状態情報信号を出力する遊技状態情報出力手段を設けるとともに、該遊技状態情報信号を集中管理装置側へ送信するための信号線のコネクタと接続可能な遊技状態情報信号接続手段を遊技盤裏面側に設けるとともに電気的制御装置も遊技盤裏面側に設けたので、別途出力制御装置を設けることなく、当該パチンコ機の稼働状態を集中管理装置側へ出力することが可能になる。
　また、定電圧を発生させる第一制御基板を裏機構盤側に設け、前記定電圧が供給され遊技制御を実行する第二制御基板と、遊技盤に依存する遊技状態情報信号の信号線を接続する遊技状態情報信号接続手段を遊技盤裏面側に設けるものとしたので、その他の遊技盤に依存しない信号と分離することが容易となり、信号線等の接続作業で誤配線が生ずることを防げる。」と訂正する。
（訂正事項ｄ）
　平成８年１２月２５日に補正をした補正後の明細書の第４２頁第１９行〜第４３頁第６行（当初明細書の第４０頁第１０行から第４１頁第１行に相当）の、
「また、遊技盤に依存する遊技状態情報信号の信号線を接続する遊技状態情報信号接続手段を遊技盤裏面側に設けるものとしたので、その他の遊技盤に依存しない信号と分離することが容易となり、信号線等の接続作業で誤配線が生ずることを防げるので、遊技盤の入れ替え作業等の効率を上げることができるし、配線ミスに起因した不具合も起こり難くなる。」を、
「また、定電圧を発生させる第一制御基板を裏機構盤側に設け、前記定電圧が供給され遊技制御を実行する第二制御基板と、遊技盤に依存する遊技状態情報信号の信号線を接続する遊技状態情報信号接続手段を遊技盤裏面側に設けるものとしたので、その他の遊技盤に依存しない信号と分離することが容易となり、信号線等の接続作業で誤配線が生ずることを防げるので、遊技盤の入れ替え作業等の効率を上げることができるし、配線ミスに起因した不具合も起こり難くなる。」と訂正する。
２．訂正の目的の適否、新規事項の有無及び拡張・変更の存否
　上記（訂正事項ａ）については、特許請求の範囲の請求項１に記載された「電気的制御装置」について、「定電圧を発生する第一制御基板と、前記定電圧が供給され遊技制御を実行する第二制御基板とが分割して構成され、第二制御基板は、」を追加することにより電気的制御装置をより下位概念に限定しようとするものであり、「前記電気的制御装置の前記第一制御基板を裏機構盤側に設け、前記第二制御基板を前記遊技盤裏面側の所定部位に設ける」ことは、前述した電気的制御装置をより下位概念に限定したことに伴い、第一制御基板と第二制御基板とを設ける位置を明確にし、さらに電気的制御装置を具体的に限定するものである。したがって、特許請求の範囲の減縮に相当する。また、「該補助遊技状態中の遊技結果に基づいて」を、「該補助遊技状態の遊技結果に基づいて」としたのは、表現が冗長であるのを正したものであるので、明りょうでない記載の釈明に相当する。
　上記（訂正事項ｂ）は、訂正した特許請求の範囲との整合を取るために、課題を解決するための手段を訂正するものであり、明りょうでない記載の釈明に相当する。
　上記（訂正事項ｃ）は、訂正した特許請求の範囲との整合を取るため、作用の対応する部分を訂正するものであり、明りょうでない記載の釈明に相当する。
　上記（訂正事項ｄ）は、訂正した特許請求の範囲との整合を取るため、発明の効果を訂正するものであり、明りょうでない記載の釈明に相当するものである。
　そして、上記（訂正事項ａ）〜（訂正事項ｄ）は、新規事項の追加に該当せず、また、実質的に特許請求の範囲を拡張又は変更するものではない。
３．独立特許要件の判断
１）訂正後の発明
　訂正後の請求項１に係る発明については、上記（２）１．（訂正事項ａ）を参照されたい。
２）引用刊行物記載の発明
　当審が平成１１年１１月１１日付取消理由で引用した、特開昭６３−１６８１９４号公報（刊行物１）には、
　第２頁右下欄９行〜１４行に、「入出力装置１０は、（中略）パチンコ機１の裏面、右上隅に固定されている。」と記載され、さらに、入出力装置１が裏機構盤の球流下経路と重合しない部分に設けられている様子が、第１図及び第４図に示されている。
　第３頁左上欄６〜８行に、「パチンコ機裏面の第１図に示すような位置にそれぞれ配設されている入賞球検出器ＳＷ１」と記載され、第１図には、入賞球検出器ＳＷ１が示されている。
　第３頁左下欄４〜１１行に、「第４図には、パチンコ機の具体的な裏機構盤における上記各検出器ＳＷ１，ＳＷ２，ＳＷ５，ＳＷ６のより正確な取付位置を示す。第４図において、２１は傾動可能な球鞘ケースを有する賞球排出装置、２２は排出前の賞品球を貯留する上タンク、２３は上タンク２２内の予備球を賞球排出装置２１まで誘導するシュートである。」と記載され、第４図には裏機構盤の構成が示されている。
　第４頁左下欄１４〜１９行に、「遊技制御基盤２からコネク夕１４へ出力される特別遊技態様検出信号は、後述の補助遊技装置における特別遊技態様の発生に伴なって制御基盤２から変動入賞装置の開閉用ソレノイド７ａ（第４図参照）に対して出力されるターボ出力を利用して形成するようになっている。」と記載され、さらに、第４頁右下欄１０〜１４行に、補助遊技装置と変動入賞装置にて、「５はルーレット式の可変表示器からなり特別入賞口６ａや６ｂへの入賞によって起動される補助遊技装置、７は補助遊技装置５における表示が特定の状態に一致した場合に開成駆動される変動入賞装置である。」と記載され、第３図には遊技制御基盤２が、第５図には補助遊技装置５及び変動入賞装置７が、それぞれ示されている。
　第４頁左下欄２０行〜同右下欄５行に、「第３図の回路からも明らかなように、打球発射系および賞球排出系と、遊技盤における遊技の制御系（破線Ａで示す）とが電気的に完全に分離されているため、パチンコ機の交換に際して遊技盤のみ取り換え、他の部分は元の機械をそのまま使うということが可能となる」と記載され、第５図等に遊技盤が示されている。
　第５頁左下欄１６行〜同右下欄１行に、「各パチンコ機に共通の信号線群（以下、バスと称する）が配設され、このバスを介して各パチンコ機１は集中管理室の管理装置２４０に接続される。なお、管理装置と各パチンコ機との間の信号の入出力を可能にするため、インタフェース装置２５０が各パチンコ機ごとに設けられている。」と記載され、さらに、第２頁左下欄３行〜１６行には、「パチンコ機側には、・・・遊技状態が特別遊技態様になっていることを検出する特別遊技態様検出部、入賞球があったことを検出する入賞球検出器を設け、パチンコ機裏側の上部一側に、上記検出器の信号の出力端子（コネクタ）を集約的に有する入出力装置を設けて、パチンコ機に備えられている検出部からの信号線をこれに入力させ、入出力装置の出力端子から一括して管理装置等に入力できるようにしたものである。」と記載され、第７、８図には管理装置２４０とインタフェース装置２５０が、それぞれ示されている。
　第１１頁左下欄４〜１３行に、「上記入出力装置のコネクタへ島設備内に配設された信号線端部のコネク夕（プラグ）を差込だけで入出力装置を介して各パチンコ機と管理装置、表示装置との間の電気的接続が簡単に行なえるという作用により、パチンコ店における検出器の取付けやそれらの検出器からの出力信号線の配設等、面倒な作業を一切不要にし、かつパチンコ機の裏側の配線をすっきりさせ、修理点検を容易に行なえるとともに．パチンコ機が改造されたと誤認されるおそれがなくなるという効果がある。」と記載されている。
　同じく引用した、特開昭６０−９９２８１号公報（刊行物２）には、
　第６頁右上欄１６行〜同頁左下欄３行に、「遊技の過程における変動入賞装置４４０の態様の変動は遊技客の利益に重大な関係を持つとともに、遊技店の経営状態に重大な関係を持つものである。従って、遊技客に対して公平で適切なサービスを図るとともに、遊技店が健全な経営を営むためにはこの変動入賞装置４４０の態様の変動に関与する情報を正確に把握していることが望ましい。」と記載されており、第６頁左下欄１８行〜同頁右下欄１９行には、変動入賞装置４４０の態様の変動に関与する情報の例として、単位時間内における大当たり表示の回数や、同じくスロットゲーム（補助変動装置）が行われた回数や、特定球入賞領域に入賞した球数や、変動入賞装置の開成回数等が挙げられている。
　同じく引用した、特開昭６３一２８３６７０号公報（刊行物３）には、
　第２頁左上第欄７〜１７行に、端子板ボックスを設け、この端子板ボックス内にパチンコ機に配設した電気的部材と外部処理装置とを接続するために入出力のための接続端子を設けた端子板を収設し、この端子板に不可逆性処理手段を設けてなる旨が記載されている。
。
３）対比・判断
　訂正後の請求項１に係る発明と上記刊行物１〜３に記載される発明を対比すると、上記刊行物１に記載される発明は、訂正後の請求項１に係る発明を特定する事項である、「電気的制御装置は、定電圧を発生する第一制御基板と、前記定電圧が供給され遊技制御を実行する第二制御基板とが分割して構成」し、「第二制御基板は、少なくとも補助遊技状態あるいは特別遊技状態に関する遊技状態情報を、パチンコ機の稼働状態を管理する集中管理装置が受信可能な遊技状態情報信号として出力可能な遊技状態出力手段を具備し、電気的制御装置の遊技状態出力手段は、遊技状態情報信号の信号線をコネクタにより接続可能とする遊技状態情報信号接続手段に連絡するように構成」し、「電気的制御装置の第一制御基板を裏機構盤側に設け、第二制御基板を遊技盤裏面側の所定部位に設けるとともに、遊技状態情報信号接続手段を遊技盤裏面側であって、前記裏機構盤の球流下経路と重合しない部分に設けた」点を備えておらず、この点を示唆する記載も上記刊行物１〜３にはない。また、上記刊行物１〜３記載の発明をどのように組み合わせてみても上記点を導き出すことはできない。
　そして、訂正後の請求項１に係る発明は、上記点により「電気的制御装置に遊技状態情報信号を出力する遊技状態情報出力手段を設けるとともに、該遊技状態情報信号を集中管理装置側へ送信するための信号線のコネクタと接続可能な遊技状態情報信号接続手段を遊技盤裏面側に設けるとともに電気的制御装置も遊技盤裏面側に設けたので、別途出力制御装置を設けることなく、当該パチンコ機の稼働状態を集中管理装置側へ出力することが可能となり、遊技盤に設けた電気的遊技装置と互換性を有する電気的制御装置に応じて、該電気的制御装置と互換性を有する出力制御装置を別途設けることで、パチンコ機の遊技状態情報を出力可能にする場合に比べ、極めて低いコストにて当該パチンコ機の稼働状態を集中管理装置等へ出力可能なパチンコ機を提供することができる。したがって、パチンコ機の補助遊技状態や特別遊技状態に関する遊技状態情報を収集可能なパチンコ機を導入する際に、特定の遊技盤と互換性を有する電気的制御装置の他に出力制御装置等を別途購入する必要がないので、パチンコ店における負担を軽減できる。また遊技盤交換に伴なう電気的制御装置の交換作業において、電気的制御装置と出力制御装置の接続作業を行う必要がないので、遊技盤の交換に伴う諸作業も簡素化でき、短時間で遊技盤の交換作業を能率良く行うことが可能である。しかも、遊技状態情報の収集が可能なパチンコ機の導入を容易にすることで、遊技盤に設けた各種電気的遊技装置から直接遊技状態の情報を取り出すための結線加工をパチンコ店が独自に施すようなケースを極力減らし、該結線加工が施されることによって信号線路に断線が生じたり、外部ノイズが混入にしたりすることで生ずる電気的遊技装置の誤動作を防ぎ、もって電気的遊技装置の動作を安定ならしめ、パチンコ機の高い信頼性を確保できる。また、定電圧を発生させる第一制御基板を裏機構盤側に設け、前記定電圧が供給され遊技制御を実行する第二制御基板と、遊技盤に依存する遊技状態情報信号の信号線を接続する遊技状態情報信号接続手段を遊技盤裏面側に設けるものとしたので、その他の遊技盤に依存しない信号と分離することが容易となり、信号線等の接続作業で誤配線が生ずることを防げるので、遊技盤の入れ替え作業等の効率を上げることができるし、配線ミスに起因した不具合も起こり難くなる」という、明細書記載の効果を奏するものである。
　したがって、訂正後の請求項１に係る発明は、上記刊行物１に記載の発明から、または上記刊行物１〜３に記載の発明から当業者が容易に発明することができたものとすることはできないから、特許出願の際独立して特許を受けることができない発明とすることはできない。
４．むすび　
　以上のとおりであるから、上記訂正請求を認める。
（３）特許異議の申立てについての判断
１．申立ての理由の概要
　異議申立人岩井浩之は、甲第１号証（上記刊行物１）、甲第２号証（上記刊行物２）、甲第３号証（上記刊行物３）を提出し、請求項１に係る発明の特許は、特許法第２９条第２項の規定により特許を受けることができない発明に対してなされたものであるので、取り消すべき旨主張している。
２．本件発明
　訂正後の請求項１に係る発明は、上記（２）１．（訂正事項ａ）を参照されたい。
３．各甲号証記載の発明
　甲第１〜３号証については（２）３．２）引用刊行物記載の発明を参照されたい。
４．対比・判断
　本件発明と甲第１〜３号証に記載の発明との対比・判断は、上記（２）３．３）対比・判断記載の理由と同じ理由により、上記甲第１号証に記載の発明から、または、甲第１〜３号証に記載の発明から当業者が容易に発明することができたものとすることはできない。
５．むすび
　以上のとおりであるから、特許異議の申立ての理由及び証拠によっては、本件発明の特許を取り消すことはできない。
  また、他に本件発明の特許を取り消すべき理由を発見しない。
　よって、結論のとおり決定する。
【異議決定日】
平成１２年９月２９日（２０００．９．２９）
【訂正の要旨】
訂正の要旨
（訂正事項ａ）
　特許請求の範囲の記載を、特許請求の範囲の減縮を目的として、
「着脱自在に設けられる遊技盤と、該遊技盤の背面側に配設されると共に球流下経路が形成された裏機構盤とを有し、前記遊技盤には特定入賞口と電気的遊技装置とを設け、該特定入賞口への入賞に基づいて電気的遊技装置を作動させて補助遊技状態を発生させ、該補助遊技状態の遊技結果に基づいて特別遊技状態に移行するような遊技制御を行う電気的制御装置を備えるパチンコ機において、前記電気的制御装置は、定電圧を発生する第一制御基板と、前記定電圧が供給され遊技制御を実行する第二制御基板とが分割して構成され、前記第二制御基板は、少なくとも前記補助遊技状態あるいは前記特別遊技状態に関する遊技状態情報を、パチンコ機の稼働状態を管理する集中管理装置が受信可能な遊技状態情報信号として出力可能な遊技状態出力手段を具備し、前記電気的制御装置の遊技状態出力手段は、遊技状態情報信号の信号線をコネクタにより接続可能とする遊技状態情報信号接続手段に連絡するように構成し、前記電気的制御装置の前記第一制御基板を裏機構盤側に設け、前記第二制御基板を前記遊技盤裏面側の所定部位に設けるとともに、遊技状態情報信号接続手段を遊技盤裏面側であって、前記裏機構盤の球流下経路と重合しない部分に設けたことを特徴とするパチンコ機。」と訂正する。
（訂正事項ｂ）
　平成８年１２月２５日に補正をした補正後の明細書の第４頁第１３行〜第５頁第１４行（当初明細書の第４頁第２行から第５頁第１行に相当）の、
「（課題を解決するための手段）
　本発明は上記に鑑み提案されたものであり、・・・、前記裏機構盤の球流下経路と重合しない部分に設けた。」を、明りょうでない記載の釈明を目的として、
「（課題を解決するための手段〉
　本発明は上記に鑑み提案されたものであり、着脱自在に設けられる遊技盤と、該遊技盤の背面側に配設されると共に球流下経路が形成された裏機構盤とを有し、前記遊技盤には特定入賞口と電気的遊技装置とを設け、該特定入賞口への入賞に基づいて電気的遊技装置を作動させて補助遊技状態を発生させ、該補助遊技状態の遊技結果に基づいて特別遊技状態に移行するような遊技制御を行う電気的制御装置を備えるパチンコ機において、前記電気的制御装置は、定電圧を発生する第一制御基板と、前記定電圧が供給され遊技制御を実行する第二制御基板とが分割して構成され、前記第二制御基板は、少なくとも前記補助遊技状態あるいは前記特別遊技状態に関する遊技状態情報を、パチンコ機の稼働状態を管理する集中管理装置が受信可能な遊技状態情報信号として出力可能な遊技状態出力手段を具備し、前記電気的制御装置の遊技状態出力手段は、遊技状態情報信号の信号線をコネクタにより接続可能とする遊技状態情報信号接続手段に連絡するように構成し、前記電気的制御装置の前記第一制御基板を裏機構盤側に設け、前記第二制御基板を前記遊技盤裏面側の所定部位に設けるとともに、遊技状態情報信号接続手段を遊技盤裏面側であって、前記裏機構盤の球流下経路と重合しない部分に設けた。」と訂正する。
（訂正事項ｃ）
　平成８年１２月２５日に補正をした補正後の明細書の第５頁第１５行〜第６頁第１０行（当初明細書の第５頁第２行から第５頁第１５行に相当）の、
「〈作用〉
　電気的制御装置に遊技状態情報信号を出力する遊技状態情報出力手段を設けるとともに、・・・、信号線等の接続作業で誤配線が生ずることを防げる。」を、明りょうでない記載の釈明を目的として、
「〈作用〉
　電気的制御装置に遊技状態情報信号を出力する遊技状態情報出力手段を設けるとともに、該遊技状態情報信号を集中管理装置側へ送信するための信号線のコネクタと接続可能な遊技状態情報信号接続手段を遊技盤裏面側に設けるとともに電気的制御装置も遊技盤裏面側に設けたので、別途出力制御装置を設けることなく、当該パチンコ機の稼働状態を集中管理装置側へ出力することが可能になる。
　また、定電圧を発生させる第一制御基板を裏機構盤側に設け、前記定電圧が供給され遊技制御を実行する第二制御基板と、遊技盤に依存する遊技状態情報信号の信号線を接続する遊技状態情報信号接続手段を遊技盤裏面側に設けるものとしたので、その他の遊技盤に依存しない信号と分離することが容易となり、信号線等の接続作業で誤配線が生ずることを防げる。」と訂正する。
（訂正事項ｄ）
　平成８年１２月２５日に補正をした補正後の明細書の第４２頁第１９行〜第４３頁第６行（当初明細書の第４０頁第１０行から第４１頁第１行に相当）の、
「また、遊技盤に依存する遊技状態情報信号の信号線を接続する遊技状態情報信号接続手段を遊技盤裏面側に設けるものとしたので、その他の遊技盤に依存しない信号と分離することが容易となり、信号線等の接続作業で誤配線が生ずることを防げるので、遊技盤の入れ替え作業等の効率を上げることができるし、配線ミスに起因した不具合も起こり難くなる。」を、明りょうでない記載の釈明を目的として、
「また、定電圧を発生させる第一制御基板を裏機構盤側に設け、前記定電圧が供給され遊技制御を実行する第二制御基板と、遊技盤に依存する遊技状態情報信号の信号線を接続する遊技状態情報信号接続手段を遊技盤裏面側に設けるものとしたので、その他の遊技盤に依存しない信号と分離することが容易となり、信号線等の接続作業で誤配線が生ずることを防げるので、遊技盤の入れ替え作業等の効率を上げることができるし、配線ミスに起因した不具合も起こり難くなる。」と訂正する。
（５４）【発明の名称】
パチンコ機
（５７）【特許請求の範囲】
　着脱自在に設けられる遊技盤と、該遊技盤の背面側に配設されると共に球流下経路が形成された裏機構盤とを有し、前記遊技盤には特定入賞口と電気的遊技装置とを設け、該特定入賞口への入賞に基づいて電気的遊技装置を作動させて補助遊技状態を発生させ、該補助遊技状
態の
　前記電気的制御装置は、
定電圧を発生する第一制御基板と、前記定電圧が供給され遊技制御を実行する第二制御基板とが分割して構成され、前記第一制御基板は、
　前記電気的制御装置の遊技状態出力手段は、遊技状態情報信号の信号線をコネクタにより接続可能とする遊技状態情報信号接続手段に連絡するように構成し、　前記電気的制御装置
の前記第一制御基板を裏機構盤側に設け、前記第一制御基板
【発明の詳細な説明】
〈産業上の利用分野〉
　本発明は、着脱自在に設けられる遊技盤と、該遊技盤の背面側に配設されると共に球流下経路が形成された裏機構盤とを有し、前記遊技盤には特定入賞口と電気的遊技装置とを設け、該特定入賞口への入賞に基づいて電気的遊技装置を作動させて補助遊技状態を発生させ、該補助遊技状態中の遊技結果に基づいて特別遊技状態に移行するような遊技制御を行う電気的制御装置を備えるパチンコ機に関するものである。
〈従来の技術〉
　従来のパチンコ機の遊技部内には、複雑な動作を有する変動入賞装置や数字等よりなる複数の記号を変換表示する可変表示装置等の電気的遊技装置を設け、これら電気的遊技装置の動作は、プリント基板上にマイクロ・プロセッサ等の集積回路や各種電気部品を多数配列してなる制御基板を収納ケース内に収納して構成された電気的制御装置によって制御されており、該電気的制御装置が可変表示装置や変動入賞装置を適宜制御することによって、補助遊技状態や特別遊技状態等を生ぜしめるのである。
〈発明が解決しようとする課題〉
　しかしながら、各パチンコ機の電気的遊技装置は該パチンコ機に設けられた電気的制御装置によって、各パチンコ機ごとに制御されているため、パチンコ店における総合的な稼働状態を掌握することは困難であった。
　そこで、パチンコ機に設けられた電気的制御装置ごとに出力制御装置を別途設けて、該パチンコ機の遊技状態を集中管理装置へ出力信号を送信する方法も採られているが、このような出力制御装置を各パチンコ機ごとに設けるとコスト高になってしまうと共に、特定機種の電気的制御装置との互換性しか無いために、遊技盤の交換に伴って電気的制御装置を交換した際には出力制御装置も交換する必要が生ずる。
　そのため、電気的遊技装置と電気的制御装置間を接続する信号入出力線や電気的遊技装置の配線から、制御信号を直接導き出そうとするパチンコ店もあるが、このような結線加工は信号線路の断線や外部ノイズの混入を招き易いために、電気的遊技装置の安定動作が期せず、パチンコ機の高い信頼性を確保できない。
〈課題を解決するための手段〉
　本発明は上記に鑑み提案されたものであり、着脱自在に設けられる遊技盤と、該遊技盤の背面側に配設されると共に球流下経路が形成された裏機構盤とを有し、前記遊技盤には特定入賞口と電気的遊技装置とを設け、該特定入賞口への入賞に基づいて電気的遊技装置を作動させて補助遊技状態を発生させ、該補助遊技状
態の
定電圧を発生する第一制御基板と、前記定電圧が供給され遊技制御を実行する第二制御基板とが分割して構成され、前記第二制御基板は、
の前記第一制御基板を裏機構盤側に設け、前記第二制御基板
〈作用〉
　電気的制御装置に遊技状態情報信号を出力する遊技状態情報出力手段を設けるとともに、該遊技状態情報信号を集中管理装置側へ送信するための信号線のコネクタと接続可能な遊技状態情報信号接続手段を遊技盤裏面側に設けるとともに電気的制御装置も遊技盤裏面側に設けたので、別途出力制御装置を設けることなく、当該パチンコ機の稼働状態を集中管理装置側へ出力することが可能になる。
　また、
定電圧を発生させる第一制御基板を裏機構盤側に設け、前記定電圧が供給され遊技制御を実行する第二制御基板と、
＜実施例＞
　次に、本発明の一実施例を添付図面に基づいて詳細に説明する。
　パチンコ機１は第１図に示すごとく、額縁状の前面枠２へ球供給皿、球発射装置、ランプや停止スイッチ３等を設けると共に、前面枠２の窓部を後方から塞ぐように遊技盤４を設けてある。
　遊技盤４は表面にガイドレール５で囲まれた遊技部６を有し、該遊技部６内に入賞具７…を配設すると共に、可変表示器８を有する可変表示装置９をほぼ中央部に設け、例えば可変表示装置９の適宜下方には変動入賞装置１０を、該変動入賞装置１０と前記可変表示装置９との間には始動スイッチ１１を内部に有する始動口１２ａを、また変動入賞装置１０の左右両側には夫々始動スイッチ１１を内部に有する始動口１２ｂ，１２ｃを、変動入賞装置の適宜下方にはアウト口１３を設けてある。
　上記した可変表示装置９は、第３図に示すように、遊技盤４に取り付ける基板１４の前面のほぼ中央に３個の７セグメントからなる可変表示器８を設けてあると共に、この可変表示器８の上部に鎧部１５を突設し、下方には継続表示器１６を適数並設してある。
　上記した変動入賞装置１０は第４〜６図に示すように、遊技盤４に取り付ける第１基板１７のほぼ中央に横長な球通過口１８を開設し、該球通過口１８には第１駆動源１９によって開閉させられて遊技者にとって不利な第１状態と遊技者にとって有利な第２状態とに変換可能な球受扉２０を回動可能に軸着し、上記球通過口１８の下方に横長な透明部材等よりなる窓部２１を開設し、上記球通過口１８の左右には第２駆動源２２によって開閉させられて遊技者にとって不利な第１状態と遊技者にとって有利な第２状態とに変換可能な球受片２３を回動自在に軸着してある。
　また、第１基板１７の前面の左右には変動入賞装置１０への入賞個数を表示するための入賞個数表示器２４を設け、第１基板１７の窓部２１に特別遊技表示用ランプ２５が裏面側より臨むように特別遊技表示用ランプ２５を有する第２基板２６を取り付け、クランク２７を駆動させて球受片２３を開閉させる第２駆動源２２を第２基板２６の後方より取り付けてある。なお、特別遊技表示用ランプ２５は特別遊技状態を示すためのものである。
　上記した球受扉２０の前面にはウエイトとストッパを兼ねる扇形部材２８を設け、レバー２９を介して該球受扉２０を開閉させる第１駆動源１９を、レバー２９と連結可能な遊技盤４の裏面適所に取り付けてある。
　また、第２基板２６に回動自在に軸着されたレバー２９の一端部を球受扉２０の下部に設けた当接片２０ａの上面へ当接せしめると共に、上記レバー２９には第１駆動源１９を構成するソレノイド３０のプランジャ３１が上方より当接するようにしてある。
　したがって、消磁時にはスプリングの付勢で下方に突出するソレノイド３０のプランジャ３１がレバー２９を下方に押圧することによって、レバー２９に球受扉２０の当接片２０ａを押し下げ得る押圧力を与え、球通過口１８を閉塞する位置（第１状態）に球受扉２０を保持させるのである。また第１駆動源１９を駆動させる、即ちソレノイド３０を励磁することによってレバー２９への押圧力を消失させ、レバー２９からの押圧力が消失することで、扇形部材２８を有する球受扉２０は自重によってレバー２９を押し上げながら回動し、球通過口１８を開口して第２状態に変換するのである。
　上記第２基板２６に取り付けた第２駆動源２２を構成するソレノイド３２のプランジャ３３には動作片３４を取り付けてあり、この動作片３４の適所に設けた横長のクランク受孔３５にクランク２７の後方側端部を遊嵌すると共に、このクランク２７の前方側を球受片２３の軸３６に連結してある。
　したがって、第２駆動源２２の非駆動時たる常時には、スプリングで付勢されたソレノイド３２のプランジャ３３によって動作片３４が押し下げられた状態に保持されることとなって、球受片２３を第１状態に保つことができ、変動入賞装置１０の駆動時には第２駆動源２２を駆動させることによって、ソレノイド３２のプランジャ３３が同作片３４を引き上げ、軸３６と連結されたクランク２７を所定角度だけ回動させることによって、球受片２３を左右に開かせて第２状態に変換するのである。
　前記変動入賞装置１０の球通過口１８は継続入賞口３７と一般入賞口３８に区画形成してあり、継続入賞口３７の内部にのみ継続検出器３９を設けて、該継続入賞口３７に入賞した入賞球の個数を前記可変表示装置９の継続表示器１６に表示するのである。
　また、継続入賞口３７及び一般入賞口３８に連通する入賞球流下路４０には入賞個数検出器４１を配設してあり、該入賞個数検出器４１によって変動入賞装置１０の球通過口１８を通過して入賞した入賞球の総数を検出し、該数を入賞個数表示器２４に表示するのである。
　パチンコ機１の裏面に設けた裏機構盤４２には球貯留タンク４３、球導出樋４４、賞球排出装置４５等を所要位置に配設してあり、遊技盤４の入賞具７に入賞して入賞球集合カバー体４ａから供給される入賞球を適宜処理し、該入賞球数に応じて所定数の賞球を排出するのである。
　また、例えばパチンコ機１の裏面上部には打球発射装置や入賞球処理装置等の電動装置への電源供給およびパチンコ機と外部との信号入出力などを集中的に行うターミナル部４６を設けてあり、該ターミナル部４６に隣接させて第１電気的制御装置４７を、遊技盤４の裏側に配設した入賞球集合カバー体４ａの背面に第２電気的制御装置４８をそれぞれ配設し、接続線４９によって第１電気的制御装置４７と第２電気的制御装置４８を機能的に接続することで、各種の検出器や可変表示装置９等の電気的遊技装置を制御する電気的制御装置が構成されるようにしてある。
　即ち、本実施例においては電気的遊技装置制御用の電気的制御装置を恒久的に使用可能な第１電気的制御装置４７と、遊技盤４を交換する度に交換を要する第２電気的制御装置４８とに分割し、第１電気的制御装置４７はパチンコ機の本体側に、第２電気的制御装置４８は遊技盤４の裏面側にそれぞれ取り付ける。
　第１電気的制御装置４７は各種電気部品を有する第１制御基板５０を函状の上蓋部材５１及び底蓋部材５２によって形成される第１収納ケース５３内に収容したもので、第１収容ケース５３には第１制御基板５０の電気部品から発生する熱を外部へ放出するための放熱孔５４を設けてある。また、第１制御基板５０の片側面と上蓋部材５１の内面との間、及び第１制御基板５０の他側面と底蓋部材５２の内面との間にはそれぞれ空間部が形成されるように、第１制御基板５０を第１収納ケース５３内に収納するものとしてある。なお、５２ａはウレタン等によって形成した緩衝材であり、第１制御基板５０の裏面が底蓋部材５２に当接してショートするのを防止する。
　第１制御基板５０には電力増幅器５５ａ、定電圧発生器５５ｂ、放熱体５５ｃ、大容量コンデンサ５６、コイル５７等よりなる電源領域５８と、予め定められた音声を発するアンプ５９、コンデンサ６０等よりなる音声領域６１等を設け、各種電気部品は裏面のプリント配線によって機能的に接続してある。
　なお、底蓋部材５２の背面にはコンセントプラグ５３ａを設けてあり、該コンセントプラグ５３ａによってパチンコ機１本体に設けた電源供給用のコンセントへ直接取り付けることで、第１電気的制御装置４７をパチンコ機１へ固定するようにしてある。また、第１電気的制御装置４７の配設位置の前面側にはスピーカ２ａを設けてあり、音声領域６１を備える第１電気的制御装置４７とスピーカ２ａを近接させてある。
　第２電気的制御装置４８は各種電気部品を有する第２制御基板６２を函状の上蓋部材６３及び底蓋部材６４によって形成される第２収納ケース６５内に収納したもので、第２制御基板６２と底蓋部材６４の間にはシールド板６６を介在せしめ、シールド板６６の板面より第２制御基板６２側へ突出して第２制御基板６２の片面に当接する当接片６６ａによって、シールド板６６と第２制御基板６２との間に空間部が形成されるようにしてある。なお、上記第１電気的制御装置４７と同様に、第２制御基板６２と上蓋部材６３の内面との間にも空間部を形成してあると共に、シールド板６６の第２制御基板６２側には緩衝材６６ｂを設け、第２制御基板６２を衝撃から保護すると共に、第２制御基板６２がシールド板６６に当接してショートすることを防止するようにしてある。
　また、例えば底蓋部材６４の側面適所に設けた取付片６４ａには係止部材６７を設けてあり、上記遊技盤４の裏面側に設けた入賞球集合カバー体ａの背面に係止部材６７と係脱自在な係止部を設けることによって、第２電気的制御装置４８を遊技盤４の入賞球集合カバー体４ａへ着脱自在な状態で取り付けることができる（第１２図）。
　上記第２制御基板６２には演算処理手段たるＣＰＵ、制御データ記憶手段たるＲＯＭ、変動データ記憶手段たるＲＡＭを一体的に組んだワンチップ・マイクロコンピュータ６８、該ワンチップ・マイクロコンピュータ６８へ基本パルス信号たるクロックを供給する水晶発振機６９等よりなる論理領域７０と、駆動制御および入力信号変換等が可能なように電力増幅機７１ａ，７１ｂ等より構成した変換領域７２と、各電気的遊技装置と接続するためのケーブルの端部に設けられたコネクタと係脱可能なコネクタピン７３…を整列配置してなる接続領域７４等を設け、各種電気部品は裏面のプリント配線によって機能的に接続してあり、第１〜第３始動スイッチ１２ａ〜１２ｂや入賞個数検出器４１等の球検知用センサが検出した入賞球に応じて、各種電気的遊技装置や各種表示器への制御信号を出力する。
　そして、第２制御基板６２より適宜発される補助遊技信号、特別遊技信号、継続信号等の遊技状態情報信号（特別遊技状態や補助遊技状態に関する情報信号）は接続領域７４よりケーブルを介して第１電気的制御装置４７へ一旦送信され、さらにターミナル部４６よりパチンコ機外部の例えば集中管理装置へ各信号を適宜手段によって送信するようにしてある。斯くした場合、パチンコ機１と外部との信号授受をターミナル部４６に集約できる反面、遊技盤裏面側に設けられる第２電気的制御装置４８から裏機構盤４２に設けられる第１電気的制御装置４７やターミナル部４６への結線作業が煩雑にならざるを得ないと共に、配線距離が長くなることに伴って外部ノイズの影響や断線の危険性も増すこととなる。
　なお、本実施例においては演算処理手段たるＣＰＵ、制御データ記憶手段たるＲＯＭ，変動データ記憶手段たるＲＡＭをワンチップ・マイクロコンピュータ６８として一体的に組むことで、第２電気的制御装置４８自体を軽量・小型化し、取付位置にかかる第２電気的制御装置４８の重量負荷を軽減させ、プラスチック等によって形成された入賞球集合カバー体４ａへの取付けを可能にしてあると共に、上蓋部材６３の形状を適宜に定めることによって接続領域７４を第２収納ケース６５より露出させ、コネクタピン６３と接続用コネクタとの着脱を容易ならしめてあり、日常のメンテナンスや修理の際の作業を能率良く行えるようにしてある。
　而して、第１３図に示す第２電気的制御装置４８は、上蓋部材６３の背面にコネクタピン７３（遊技状態情報信号接続手段を含む）が配列されている接続領域７４を設けるものとして、第２制御基板６２を第２収納ケース６５内へ完全に収納してある。すなわち、第２制御基板６２から遊技状態出力手段を介して出力された遊技状態情報信号は、上蓋部材６３背面の接続領域７４を中継して、集中管理装置側へ出力されるのである。なお、接続領域７４のうち遊技状態情報信号の出力に関係する部分のみを第２電気的制御装置４８の上蓋部材６３の背面に設けたり、或いは第２電気的制御装置４８から独立させて遊技盤４の裏面側適所に設けるようにしても良い。斯くすれば、遊技盤４の出荷時にメーカー側で第２制御基盤６２と接続領域７４との配線を完了できるので、遊技店による配線作業がなくなり、誤配線が生ずることを防止できる。さらに、第２制御基盤６２と接続領域７４の両者を遊技盤４の裏面側に設けることで、両者間の配線距離を効率的に短くでき、配線途中で断線が生じたり、外部ノイズの影響を受けたりし難いという効果も期せる。
　上記実施例のように各種電気的遊技装置を制御する電気的制御装置を第１電気的制御装置４７と第２電気的制御装置４８に分割して構成すれば、各種遊技盤に対して汎用性のある電源領域５８、音声領域６１をパチンコ機１の前面枠２の裏面側へ固定したまま継続使用し、特定の遊技盤にしか使用できない論理領域７０等を有する第２電気的制御装置４８のみを該遊技盤４と共に交換することが可能となるので、遊技盤４の入れ替に伴うコストを低減させられる。また、交換する遊技盤４に応じて作成する電気的制御装置は第２電気的制御装置４８のみとなるので、電気的制御装置の制御基板の基板配線が簡素化され、設計段階における設計ミスを極力防止でき、しかも生産過程における組立作業の高能率化を期せる。
　また、第１電気的制御装置４７と第２電気的制御装置４８を適宜離隔せしめて配設することにより、比較的熱発生量の高い電源領域５８を有する第１電気的制御装置４７から発生した熱によって、第２電気的制御装置４８が誤動作させられたり、破損させられたりといった不都合が生ずるのを極力妨げる。
　しかも、上記実施例における第１電気的制御装置４７，第２電気的制御装置４８は、第１制御基板５０及び第２制御基板６２の両面と、第１収納ケース５３及び第２収納ケース６５の内面との間に空間を形成すると共に、ケース内の両空間部を連通せしめることによって、各収納ケース内には温度差による空気の自然対流が生じ、該自然対流によって第１制御基板５０及び第２制御基板６２に設けた電気部品の放熱を効果的に行わせると共に、放熱孔５４より昇温化した空気をケース外へ放出することによって、ケース内の温度が上昇するのを極力防止できる。
　さらに、第２電気的制御装置４８を遊技盤４の裏面側に設けられた入賞球集合カバー体４ａの背面へ着脱自在に取り付け、接続線７５を介して遊技盤４の各種電気的遊技装置と接続すれば、変動入賞装置１０等の電気的遊技装置と第２電気的制御装置４８を接続する接続線７５の長さを短くでき、接続用コネクタがコネクタピン７３から抜け落ちたり、接続線７５の途中が断線したりといった事故が生ずるのを防げると共に、接続線７５内を流れる電気信号中に混入した外部ノイズによって第２制御基板６２上の集積回路や各種電気部品が誤動作するのを防げる。
　すなわち、これらの相乗効果によって第１電気的制御装置４７と第２電気的制御装置４８に分割構成した電気的制御装置による電気的遊技装置の制御動作を安定ならしめ、極めて信頼性の高いパチンコ機１とすることができる。
　また、交換する遊技盤４に該遊技盤４と互換性を有する第２電気的制御装置４８を取り付けた状態でパチンコ店へ配送すれば、パチンコ店における交換作業を簡略化できると共に、配送費の低減化が図れ、しかも交換用の遊技盤４と互換性の無い第２電気的制御装置４８が誤ってパチンコ店へ配送されるといった配送ミスを防げる。
　なお、第２電気的制御装置４８を遊技盤４の入賞球集合カバー体４ａへ取り付ける取付方法は上記実施例に限定されるものではなく、例えば第１４図に示すように、第２電気的制御装置４８へ係止用突部７６を設け、該係止用突部７６と係脱可能な係止孔７７を入賞球集合カバー体４ａの背面適所へ開設し、係止用突部７６を係止孔７７内に挿入してから第２電気的制御装置４８をほぼ９０度回動し、これにより係止用突部７６の鍔部が係止孔７７の縁に係止して止着されるようにしてもよい。
　また、第１５図に示すごとく入賞球集合カバー体４ａの背面に板状マグネット７８を貼着し、鉄等の磁性材によって底蓋部材を形成した第２電気的制御装置４８を、板状マグネット７８の磁気力によって入賞球集合カバー体４ａへ取り付けるようにしてもよい。
　さらに、第１６図に示すごとく、第２電気的制御装置４８の底蓋部材６４に係止孔７９を設けると共に、入賞球集合カバー体４ａの適所に断面Ｌ字形の係止用爪８０を突設し、該係止用爪８０を前記係止孔７９に係止させることで、第２電気的制御装置４８を入賞球集合カバー体４ａへ取り付けるようにしてもよい。なお、図面に示す実施例においては、弾性材料により形成した保持部材８１によって第２電気的制御装置４８の下部を保持させると共に、保持部材８１の弾性力によって第２電気的制御装置４８を入賞球集合カバー体４ａの背面へ押圧し、第２電気的制御装置４８が入賞球集合カバー体４ａの背面へ良好に固定されるようにしてある。
　上記実施例においては電気的制御装置を分割構成するものとしたが、第１７〜１８図に示す従来の一体形電気的制御装置８２によっても、補助遊技信号、特別遊技信号、継続信号等の遊技状態情報信号を集中管理装置側へ出力するように構成できる。
　一体形電気的制御装置８２は電源領域５８、音声領域６１、論理領域７０、変換領域７２、接続領域７４を一枚の基板上に一体的に設けた一体形制御基板８３を函状の上蓋部材８４及び底蓋部材８５によって形成される一体形制御基板収納ケース８６内に収納したもので、一体形制御基板８３と底蓋部材８５の間にはシールド板８７を介在せしめ、シールド板８７の板面より一体形制御基板８３側へ突出して一体形制御基板８３の片側面に当接する当接片８７ａによって、シールド板８７と一体形制御基板８３との間に空間部が形成されるようにしてある。
　なお、第１，第２電気的制御装置４７，４８と同様に、一体形制御基板８３と上蓋部材８４の内面との間にも空間部を形成してあると共に、シールド板８７の一体形制御基板８３側には緩衝材８７ｂを設け、一体形制御基板８３を衝撃から保護すると共に、一体形制御基板８３がシールド板８７に当接してショートすることを防止するようにしてある。
　第１９図は他の実施例を示すもので、遊技盤の裏面側に配設される入賞球集合カバー体４ａの背面へ一面開成の蓋体８８を蝶番８９によって開閉可能に設け、蓋体８８を適宜回動させて蓋体８８の開成部を入賞球集合カバー体４ａの背面によって閉塞せしめた際に、蓋体８８の側面へ設けた係止片９０が係止部材９１の爪片に係止されることで固定され、蓋体８８の内部に基板収納空間が形成されるようにしてある。
　また、入賞球集合カバー体４ａの背面適所には１対の基板受材９２，９２を配設してあり、両基板受材９２に相対向させて設けたスライド溝９３に一体形制御基板８３の縁部を嵌入し、一体形制御基板８３の下端縁が基板受材９２の当接部９４に当接した状態で一体形制御基板８３は基板収納空間内に保持される。したがって、一体形制御基板８３は蓋体８８と入賞球集合カバー体４ａの背面とで構成された収納ケース内に収納された電気的制御装置となるのである。なお、スライド溝９３は入賞球集合カバー体４ａの背面より適宜距離を隔てて設けてあるので、一体形制御基板８３と入賞球集合カバー体４ａの背面との間には空間部が形成される。
　なお、第２０図に示す他の実施例のごとく、緩衝材８７ｂを有するシールド板８７を一体形制御基板８３の裏面側へ取り付けた状態で、一体形制御基板８３を入賞球集合カバー体４ａへ着脱自在に取り付けるように構成すれば、前述した一体形電気的制御装置８２と同様に、一体形制御基板８３の衝撃緩衝作用、ショート防止、静電気に対するシールド効果を期せる。
　上記のように入賞球集合カバー体４ａの背面へ直接制御基板収納用の空間を生ぜしめて、該空間内に制御基板を収納するように構成すれば、第２電気的制御装置４８もしくは一体形電気的制御装置８２を遊技盤４の裏面側に設けた入賞球集合カバー体４ａの背面へ取り付けた実施例と同様に、変動入賞装置１０等の電気的遊技装置と一体形電気的制御装置８２を接続する接続線７５の長さを短くでき、接続用コネクタがコネクタピン７３から抜け落ちたり、接続線７５の途中が断線したりといった事故が生ずるのを防げると共に、接続線７５内を流れる電気信号中に混入した外部ノイズによって一体形制御基板８３上の集積回路や各種電気部品が誤動作するのを極力防ぎ、一体形電気的制御装置８２による電気的遊技装置の動作を安定ならしめ、極めて信頼性の高いパチンコ機１とすることができる。
　また、交換する遊技盤４に該遊技盤４と互換性を有する一体形制御基板８３を取り付けた状態でパチンコ店へ配送することにより、パチンコ店における交換作業を簡略化できる。しかも、遊技盤４と一体形制御基板８３を一体化した状態でパチンコ店へ配送することにより、配送費の低減化が図れると共に、交換用の遊技盤４と互換性の無い一体形制御基板８３が誤ってパチンコ店へ配送されるといった配送ミスを防げる。
　次に、第１電気的制御装置４７及び第２電気的制御装置４８に分割構成した電気的制御装置もしくは一体形電気的制御装置８２による各種電気的遊技装置の制御動作を説明する。
　第２１図は本発明に係る電気的制御装置の構成概要を示すブロック図であり、第１〜第３始動スイッチ１２ａ，１２ｂ，１２ｃ、継続検出器３９、入賞個数検出器４１、および停止スイッチ３等から発された信号をワンチップ・マイクロコンピュータ６８へ入力し、該ワンチップ・マイクロコンピュータ６８は前記各入力信号に基づいて適宜演算処理を行い、第１出力ポートより駆動回路を介して可変表示装置９、変動入賞装置１０、第１駆動源１９、第２駆動源２２、特別遊技表示用の特別遊技表示用ランプ２５、継続表示器１６、入賞個数表示器２４へ所定の制御信号を出力し、通常遊技状態から補助遊技状態または特別遊技状態への移行、該状態から通常遊技状態への復帰、あるいは特別遊技状態の継続を制御するのである。
　また、ワンチップ・マイクロコンピュータ６８には第２出力ポートを設けてあり、該第２出力ポートより補助遊技信号出力手段たる補助遊技信号出力部９５、特別遊技信号出力手段たる特別遊技信号出力部９６、継続信号出力手段たる継続信号出力部９７へそれぞれ信号出力するようにしてある。
　補助遊技信号出力部９５には例えば電磁継電器９８を設けてあり、第２出力ポートより信号が入力されると電磁継電器９８内のコイルに電流が流れ、電磁継電器９８内の常時開の接点９９が閉じるようにしてあり、該接点９９が閉じることによって補助遊技信号送信路１００が通電状態となり、該補助遊技信号送信器１００による補助遊技信号の送信を可能ならしめる。
　また、特別遊技信号出力部９６、継続信号出力部９７も前記補助遊技信号出力部９５と同様に構成したもので、第２出力ポートより特別遊技信号出力部９６、継続信号出力部９７へ信号が入力されると、各出力部に設けた電磁継電器９８内のコイルに電流が流れ、各電磁継電器９８内の常時開の接点９９が閉じるようにしてあり、各接点９９が閉じることによって、特別遊技信号送信路１０１または継続信号送信路１０２が通電状態となり、該特別遊技信号送信路１０１による特別遊技信号の送信または継続信号送信路１０２による継続信号の送信を可能ならしめてある。
　なお、第２１図に示す如く、電器的制御装置内の補助遊技信号出力部９５、特別遊技信号出力部９６、継続信号出力部９７によって発生させた各信号を一旦ターミナル部４６で中継し、更に信号線等を介して集中管理装置等へ送信するものとした場合、結線作業が煩雑にならざるを得ないと共に、配線距離が長くなることに伴って外部ノイズの影響や断線の危険性も増すこととなるので、接続領域７４の遊技状態情報信号接続手段に遊技状態情報信号の信号線を接続して、集中管理装置側へ出力するように構成することで、上記のような不具合を解消できるのである。
　第２２図に示すものは他の信号出力手段を用いた実施例であり、補助遊技信号出力部１０３、特別遊技信号出力部１０４、継続信号出力部１０５にはそれぞれ補助遊技信号送信用発光ダイオード１０６、特別遊技信号送信用発光ダイオード１０７、継続信号送信用発光ダイオード１０８を接続し、第２出力ポートから各信号出力部へ信号が入力されると、該信号出力部と接続された発光ダイオードに順方向電流が流れるようにしてあり、発光ダイオードより発される光を光学的信号として、光ファイバを介して集中管理装置等へ送信する。
　また、発光ダイオードの光を直接送信せずに、受光素子等で電気的な信号に再変換して、前述したと同様に信号線を介して集中管理装置へ送信したり、或は別途設けたレーザー発光装置によってレーザー光を出力させ、該レーザー光を光学的信号として集中管理装置へ送信するようにしてもよい。
　第２３図〜第２６図は本発明に係る電気的制御装置の制御プログラムの概略を示すフローチャートであり、電圧監視回路よりワンチップ・マイクロコンピュータ６８に入力されるリセット信号によって入出力ポートが初期化されると共に、ＲＡＭがクリアされてワンチップ・マイクロコンピュータ６８は初期状態に復帰し、始動口１２ａ〜１２ｃのいずれかに入賞して始動スイッチ１１がオンになったのをカウントする入賞球カウンタのカウント数がゼロであるか否かの判断をルーチンワークとするループ処理を行う。
　始動スイッチ１１がオンになってゲーム処理１が開始されると、まず入賞球カウンタのカウント数を“１”減じ、可変表示装置９に設けた可変表示器８の表示内容を一定時間ごとに変化させ、第２出力ポートから補助遊技信号出力部９５へ信号出力することで補助遊技信号出力部９５による補助遊技信号の送信を行わせ、補助遊技中継続して補助遊技用効果音を出力する。
　また、可変表示器８の表示内容を変化させる毎に、停止スイッチ３が押されてオンしたか、または予め定められた所定時間たる自動停止時間が経過したか否かを判断し、いずれか最先の条件が満たされた時点で可変表示器８の表示内容を固定させて可変表示装置９を停止させると共に、第２出力ポートから補助遊技信号出力部９５への信号出力を停止し、補助遊技信号出力部９５による補助遊技信号の送信をオフにする。
　そして、固定された可変表示器８の表示内容が特別遊技に移行可能な所定の表示内容と一致するか否かを判断し、一致すれば後述するゲーム処理２を行い、不一致であればハズレ用効果音を出力して、所定時間のウエイトタイムが経過した後、前記ループ処理に戻る。
　可変表示器８の表示内容が前述した所定条件を満たしてゲーム処理２が開始されると、第２出力ポートから特別遊技信号出力部９６へ信号出力して、特別遊技信号出力部９６による特別遊技信号の送信を行い、特別遊技表示用ランプ２５を点滅させると共に、特別遊技用効果音を出力して、補助遊技から特別遊技への移行を遊技者に示す。
　補助遊技から特別遊技へ移行した後、所定時間の特別遊技ウエイトタイムが経過すると、第１出力ポートからの出力によって第１駆動源１９、第２駆動源２２を駆動させ、変動入賞装置１０の球通過口１８を開成させると共に、球受片２３を左右に開かせることで、変動入賞装置１０を通常の第１状態から遊技者にとって有利な第２状態に変換して特別遊技状態を生ぜしめ、更に第２出力ポートより継続信号出力部９７へ信号出力することで、継続信号出力部９７による継続信号の送信を行う。
　そして、球通過口１８に入賞した入賞球を入賞個数検出器４１が検出したか否かを判断し、該入賞個数検出器４１がオンになると入賞球の数をカウントする入賞個数カウンタのカウント数に“１”を加算し、次に入賞個数カウンタのカウント数が所定数、例えば「１０」になったか否かを判断する。
　該カウント数が“１０”未満であった場合および前記入賞個数検出器４１が入賞球を検出しなかった場合には、継続入賞口３７内の継続検出器３９が入賞球を検出したか否かを判断し、該継続検出器３９がオンになると標識ビットとして継続フラグに“１”を立てると共に、継続表示器１６を点滅させ、予め設定してある規定時間が経過したか否かを判断し、経過していなければ入賞個数検出器４１のオン・オフ判断処理へ帰還する。
　規定時間経過の判断処理において規定時間経過と判断した場合および前記入賞個数カウンタのカウント数判断処理においてカウント数＝１０と判断した場合には、第１駆動源１９および第２駆動源２２をオフにして、変動入賞装置１０を遊技者にとって不利な第１状態に戻し、第２出力ポートから継続信号出力部９７への信号出力を停止することで、継続信号出力部９７による継続信号の送信をオフにする。
　すなわち、変動入賞装置１０の球受扉２０が開くことによって球通過孔１８に入賞した入賞球の総数が“１０”になるか、もしくは規定時間が経過するまで、変動入賞装置１０の第２状態を継続させ、継続信号を受信した集中管理装置は特別遊技における変動入賞装置１０の第２状態継続時間を知ることができるのである。
　第２出力ポートから継続信号出力部９７への信号出力を停止して継続信号の送信をオフにすると、変動入賞装置が第２状態であった間に継続フラグに“１”を立てたか否かを判断し、継続フラグに“１”が立っていれば入賞個数カウンタのカウント数をクリアしてゼロに戻し、継続フラグを“０”に復帰せしめると共に、継続表示器１６の点滅を停止させる。
　所定時間の特別遊技ウエイトタイム処理より始まる一連の処理を１サイクルとすると、継続信号の送信回数によって１０サイクル継続したか否かを判断し、継続回数が１０回に満たなければ、所定時間の特別遊技ウエイトタイムより始まる一連の処理へ帰還して、特別遊技を更に１サクル更新させる。
　この継続回数が１０回になると、第２出力ポートより特別遊技信号出力部９６への信号出力を停止することで、特別遊技信号出力部９６による特別遊技信号の送信をオフにし、特別遊技表示用ランプ２５をオフにすると共に、特別遊技用効果音を停止させて、特別遊技の終了を遊技者に知らせ、ループ処理へ帰還する。
　ここで、始動口１２ａ〜１２ｃに入賞した入賞球の個数をカウントする入賞球カウンタのカウント数が“０”でなければ、再びゲーム処理１を繰り返し、補助遊技が再開されるのである。
　なお、第２６図に示すフローチャートは一定時間毎に乱数等の更新を行うための割込処理のプログラム概要を示すものである。
　上記のように構成したパチンコ機１によれば、電器的遊技装置制御用の電器的制御装置に、補助遊技信号出力部９５と特別遊技信号出力部９６と継続信号出力部９７とを設け、これら補助遊技状態あるいは特別遊技状態に関する遊技状態情報信号を集中管理装置側へ出力することが可能となり、特定の電気的制御装置に応じて遊技状態情報の出力制御装置を別途設ける場合に比べ、極めて低いコストにて当該パチンコ機１の稼働状態を集中管理装置側へ出力可能な電気的制御装置を備えたパチンコ機１を提供することができる。
　したがって、遊技状態情報を収集可能なパチンコ機１を導入する際に、特定の遊技盤と互換性を有する電気的制御装置の他に出力制御装置を別途購入する必要がないので、パチンコ店における負担が軽くなると共に、電気的制御装置と遊技状態情報の出力制御装置の接続作業を行う必要がないので、遊技盤４の交換に伴う諸作業を簡素化できる。
　しかも、遊技状態情報の収集が可能なパチンコ機１の導入を容易にすることによって、遊技盤４に設けた各種電気的遊技装置から直接遊技状態の情報を取り出すための結線加工をパチンコ店が独自に施すようなケースを極力減らし、該結線加工によって信号線路に断線が生じたり、外部ノイズが混入にしたりすることで電気的遊技装置に誤動作が生ずるのを防ぎ、もって電気的遊技装置の動作を安定ならしめ、パチンコ機の高い信頼性を確保できる。
　また、補助遊技信号出力部９５より出力される補助遊技出力信号によって補助遊技状態の発生率を、特別遊技信号出力部９６より出力される特別遊技出力信号によって特別遊技状態の発生率を、継続信号出力部９７より出力される継続信号によって特別遊技状態中における１サイクルの継続回数を、それぞれ正確な情報として収集でき、これらの情報によって当該情報収集日におけるパチンコ店の経営状態を把握し、該情報を参考にして翌日の営業方針を決定することで、遊技者の投資量に対する賞球の排出量を適正ならしめ、効率の良いパチンコ店経営を行うことができる。
　なお、本実施例においては可変表示装置９の表示内容を一定時間ごとに変えることで補助遊技状態を生ぜしめ、変動入賞装置１０を第２状態に変えることで特別遊技状態を生ぜしめるものとしたが、例えば始動口１２ａ〜１２ｃへ入賞した入賞球によって始動スイッチ１１がオンさせられることで、変動入賞装置１０を所定回数だけ間欠的に第１状態から第２状態へ移行させる補助遊技状態を生ぜしめ、該補助遊技状態中に特定の入賞口（例えば変動入賞装置１０内に特定の入賞口を設ける）に球が入賞することによって、補助遊技状態よりも長期に渡って変動入賞装置１０を第２状態に維持するか、もしくは補助遊技状態の時よりも多回数に渡って変動入賞装置１０を第２状態に変換する特別遊技状態を生ぜしめるようにしてもよい。
　また、パチンコ遊技の興趣を高めるために、補助遊技状態を第１補助遊技状態、第２補助遊技状態…と階層的に構成した場合には、各補助遊技状態について該当する補助遊技信号を出力させ得るように、各補助遊技状態に対応する所定数の補助遊技信号出力部を設けたり、或は２以上の信号の組み合わせによって各補助遊技状態を示すような信号出力にすればよい。特別遊技状態を階層的に構成したり、確率変動中情報等を付加する場合も同様である。
　さらに、本実施例においては各信号線路を常時遮断状態とし、補助遊技状態の発生時、特別遊技状態の発生時、特別遊技状態の継続時にのみ信号線路を通電状態にすることで、各信号が出力状態にあるものとしたが、各信号線路を常時通電状態とし、補助遊技状態の発生時、特別遊技状態の発生時、特別遊技状態の継続時にのみ信号レベルを適宜異らしめるようにすれば、信号線路の線路状態をも集中管理装置で管理することができる。
　なお、パチンコ機１の稼働状態のみでなく、球発射装置や賞球排出装置等の電気的に駆動させられる各機構の駆動状態や故障の有無などを、集中管理装置等によって統括的に管理させたい場合には、当該信号出力部を電気的制御装置内に付加すればよい。
＜発明の効果＞
　以上説明したように本発明によれば、電気的制御装置に遊技状態情報信号を出力する遊技状態情報出力手段を設けるとともに、該遊技状態情報信号を集中管理装置側へ送信するための信号線のコネクタと接続可能な遊技状態情報信号接続手段を遊技盤裏面側に設けるとともに電気的制御装置も遊技盤裏面側に設けたので、別途出力制御装置を設けることなく、当該パチンコ機の稼働状態を集中管理装置側へ出力することが可能となり、遊技盤に設けた電気的遊技装置と互換性を有する電気的制御装置に応じて、該電気的制御装置と互換性を有する出力制御装置を別途設けることで、パチンコ機の遊技状態情報を出力可能にする場合に比べ、極めて低いコストにて当該パチンコ機の稼働状態を集中管理装置等へ出力可能なパチンコ機を提供することができる。
　したがって、パチンコ機の補助遊技状態や特別遊技状態に関する遊技状態情報を収集可能なパチンコ機を導入する際に、特定の遊技盤と互換性を有する電気的制御装置の他に出力制御装置等を別途購入する必要がないので、パチンコ店における負担を軽減できる。また遊技盤交換に伴なう電気的制御装置の交換作業において、電気的制御装置と出力制御装置の接続作業を行う必要がないので、遊技盤の交換に伴う諸作業も簡素化でき、短時間で遊技盤の交換作業を能率良く行うことが可能である。
　しかも、遊技状態情報の収集が可能なパチンコ機の導入を容易にすることで、遊技盤に設けた各種電気的遊技装置から直接遊技状態の情報を取り出すための結線加工をパチンコ店が独自に施すようなケースを極力減らし、該結線加工が施されることによって信号線路に断線が生じたり、外部ノイズが混入にしたりすることで生ずる電気的遊技装置の誤動作を防ぎ、もって電気的遊技装置の動作を安定ならしめ、パチンコ機の高い信頼性を確保できる。
　また、
定電圧を発生させる第一制御基板を裏機構盤側に設け、前記定電圧が供給され遊技制御を実行する第二制御基板と、
【図面の簡単な説明】
　図面は本発明に係るパチンコ機の実施例を示すもので、第１図はパチンコ機の正面図、第２図は遊技盤の正面図、第３図は可変表示装置の正面図、第４図は可変入賞装置の斜視図、第５図は可変入賞装置の分解斜視図、第６図は遊技盤に取り付けられた可変入賞装置の縦断面図、第７図はパチンコ機の背面図、第８図は第１制御基板の斜視図、第９図は第１電気的制御装置の分解斜視図、第１０図は第１電気的制御装置の斜視図、第１１図は第２制御基板の斜視図、第１２図は第２電気的制御装置の分解斜視図、第１３図は遊技盤の背面図、第１４図〜第１６図は入賞球集合樋への第２電気的制御装置の取付方法を示す斜視図、第１７図は一体形制御基板の斜視図、第１８図は一体形電気的制御装置の分解斜視図、第１９図及び第２０図は開閉可能な蓋体と制御基板によって入賞球集合樋の背面に電気的制御装置を構成する他の実施例の分解斜視図、第２１図及び第２２図は本発明に係る電気的制御装置の構成概要を示すブロック図、第２３〜２６図は本発明に係る電気的制御装置の制御プログラムの概略を示すフローチャートである。
図中、１はパチンコ機、４は遊技盤、９は可変表示装置、１０は変動入賞装置、１２ａ〜ｃは始動口、４２は裏機構盤、４５は賞球排出装置、４８は第２電気的制御装置、６８はワンチップ・マイクロコンピュータ、７０は論理領域、７２は変換領域、７３はコネクタピン、７４は接続領域である。